(57)【要約】【課題】ある中継装置と基地局との通信に係る無線通信品質が低下した場合でも、他中継装置を利用して移動局に係る良好な無線通信品質を確保することができる通信中継システム、通信中継システムの制御方法及び中継装置を提供する。【解決手段】中継装置２ａは、基地局３ａと移動局１との通信を中継し、中継装置２ａと基地局３ａとの通信に係る無線通信品質が所定の閾値未満である場合、移動局１と通信可能な他中継装置２ｂを識別して他中継装置２ｂに、サービス部２３ｂの送信出力の増加要求を送信し、他中継装置２ｂは、他中継装置２ｂと通信する基地局３ｂとの通信に係る無線通信品質が所定の閾値以上である場合、中継が可能であることを応答し、サービス部２３ｂに係る送信出力を増加させ、中継装置２ａは、応答に基づき中継装置２ａのサービス部２３ａの動作を停止することを特徴とする。【選択図】図１
2013168881.tif 000002
【特許請求の範囲】
【請求項１】
移動局と、該移動局と通信するサービス部を有する複数の中継装置とを備える通信中継システムであって、
前記複数の中継装置のいずれか一つの中継装置は、該中継装置が通信する基地局と前記移動局との通信を中継し、
前記中継装置は、該中継装置と前記基地局との通信に係る無線通信品質が所定の閾値未満である場合、前記複数の中継装置のうち前記移動局と通信可能な他中継装置を識別して該他中継装置に、前記サービス部の送信出力の増加要求を送信し、
前記他中継装置は、前記増加要求を受信した場合で、かつ前記他中継装置が通信する基地局との通信に係る無線通信品質が前記所定の閾値以上である場合、該基地局と前記移動局との中継が可能であることを前記中継装置に応答し、前記サービス部に係る送信出力を増加させて該基地局と前記移動局との通信を中継し、
前記中継装置は、前記応答に基づき該中継装置の前記サービス部の動作を停止することを特徴とする通信中継システム。
【請求項２】
前記中継装置は、該中継装置の前記サービス部の動作を停止した後に該中継装置が通信する前記基地局との通信に係る前記無線通信品質が前記所定の閾値以上に戻った場合、前記他中継装置に該他中継装置の前記サービス部に係る前記送信出力の低減要求を送信し、
前記他中継装置は、前記低減要求に基づき前記サービス部に係る前記送信出力を低減し、
前記中継装置は、該中継装置の前記サービス部の動作を再開し、該中継装置が通信する前記基地局と前記移動局との通信を中継することを特徴とする、請求項１に記載の通信中継システム。
【請求項３】
前記中継装置は、前記他中継装置が送信した電波に基づき、前記移動局と通信可能な前記他中継装置を識別することを特徴とする、請求項１又は２に記載の通信中継システム。
【請求項４】
前記中継装置は、前記移動局と通信可能な前記他中継装置のリストを有し、該リストに基づき前記移動局と通信可能な前記他中継装置を識別することを特徴とする、請求項１又は２に記載の通信中継システム。
【請求項５】
移動局と、該移動局と通信するサービス部を有する複数の中継装置とを備える通信中継システムの制御方法であって、
前記複数の中継装置のうちいずれか一つの中継装置が、該中継装置が通信する基地局と前記移動局との通信を中継するステップと、
前記中継装置が、該中継装置と前記基地局との通信に係る無線通信品質が所定の閾値未満である場合、前記複数の中継装置のうち前記移動局と通信可能な他中継装置を識別するステップと、
前記中継装置が、該他中継装置に前記サービス部の送信出力の増加要求を送信するステップと、
前記他中継装置が、前記増加要求を受信した場合で、かつ前記他中継装置が通信する前記基地局との通信に係る無線通信品質が前記所定の閾値以上である場合、該基地局と前記移動局との中継が可能であることを前記中継装置に応答し、前記サービス部に係る送信出力を増加させて該基地局と前記移動局との通信を中継するステップと、
前記中継装置が、前記応答に基づき該中継装置の前記サービス部の動作を停止するステップと、
を含む通信中継システムの制御方法。
【請求項６】
前記中継装置が、該中継装置の前記サービス部の動作を停止した後に該中継装置と通信する前記基地局との通信に係る前記無線通信品質が前記所定の閾値以上に戻った場合、前記他中継装置に該他中継装置の前記サービス部に係る前記送信出力の低減要求を送信するステップと、
前記他中継装置が、前記低減要求に基づき前記サービス部の送信出力を低減するステップと、
前記中継装置が、該中継装置の前記サービス部の動作を再開し、該中継装置が通信する前記基地局と前記移動局との通信を中継するステップと、
を含むことを特徴とする、請求項５に記載の通信中継システムの制御方法。
【請求項７】
前記識別するステップにおいて、前記他中継装置が送信した電波に基づき、前記移動局と通信可能な前記他中継装置を識別することを特徴とする、請求項５又は６に記載の通信中継システムの制御方法。
【請求項８】
前記識別するステップにおいて、前記中継装置が前記移動局と通信可能な前記他中継装置のリストを有し、該リストに基づき前記移動局と通信可能な前記他中継装置を識別することを特徴とする、請求項５又は６に記載の通信中継システムの制御方法。
【請求項９】
移動局と、該移動局と通信するサービス部を有する複数の中継装置とを備える通信中継システムにおいて前記移動局と基地局の通信を中継する中継装置であって、
前記基地局と通信するドナー部と、
前記中継装置と前記基地局との通信の無線通信品質が所定の閾値未満である場合、前記複数の中継装置のうち前記移動局と通信可能な他中継装置を識別して該他中継装置に送信出力の増加要求を送信し、前記他中継装置から前記他中継装置が通信する基地局と前記移動局との中継が可能であるとの応答に基づき、前記サービス部の動作を停止するように制御する制御部と、
を備える中継装置。
【請求項１０】
前記制御部は、前記サービス部の動作を停止した後に前記基地局との通信に係る前記無線通信品質が前記所定の閾値以上に戻った場合、前記他中継装置に前記送信出力の低減要求を送信し、前記サービス部の動作を再開して前記中継装置が通信する前記基地局と前記移動局との通信を中継することを特徴とする、請求項９に記載の中継装置。
【請求項１１】
前記制御部は、前記他中継装置が送信した電波に基づき、前記他中継装置を識別することを特徴とする、請求項９又は１０に記載の中継装置。
【請求項１２】
前記中継装置はさらに、前記複数の中継装置のうち前記移動局と通信可能な前記他中継装置のリストを有し、
前記制御部は、前記リストに基づき前記移動局と通信可能な前記他中継装置を識別することを特徴とする、請求項９又は１０に記載の中継装置。
【発明の詳細な説明】
【技術分野】
【０００１】
本発明は、通信中継システム、通信中継システムの制御方法及び中継装置に関する。
【背景技術】
【０００２】
従来、基地局からの電波が到達し難い屋内等において移動局の良好な通信を確保するために、屋内にある移動局と基地局との通信を中継する中継装置が用いられている（例えば特許文献１）。図６に、従来の中継装置を用いた通信中継システムの例を示す。従来の通信中継システムは、移動局１０１と、中継装置１０２ａと、中継装置１０２ｂと、基地局１０３ａと、基地局１０３ｂとを備える。そして移動局１０１が中継装置１０２ａのサービスエリアに位置する場合には、移動局１０１と基地局１０３ａとの通信は中継装置１０２ａにより中継されていた。
【先行技術文献】
【特許文献】
【０００３】
【特許文献１】特開２０１０−１３０４３９号公報
【発明の概要】
【発明が解決しようとする課題】
【０００４】
しかしながら、従来の通信中継システムでは、移動局１０１が中継装置１０２ａのサービスエリアに位置する場合、仮に中継装置１０２ａと基地局１０３ａ間の無線通信品質が低下し、中継装置１０２ｂと基地局１０３ｂ間の無線通信品質が良好であったとしても、移動局１０１の通信は中継装置１０２ａと基地局１０３ａとを経由して行われることになる。この場合、中継装置１０２ａと基地局１０３ａ間の無線通信品質が低いため通信速度の低下等の問題が生じてしまう。
【０００５】
従って、上記のような問題点に鑑みてなされた本発明の目的は、ある中継装置と基地局との通信に係る無線通信品質が低下した場合でも、他中継装置を利用して移動局に係る良好な無線通信品質を確保することができる通信中継システム、通信中継システムの制御方法及び中継装置を提供することにある。
【課題を解決するための手段】
【０００６】
上記課題を解決するために本発明に係る通信中継システムは、
移動局と、該移動局と通信するサービス部を有する複数の中継装置とを備える通信中継システムであって、
前記複数の中継装置のいずれか一つの中継装置は、該中継装置が通信する基地局と前記移動局との通信を中継し、
前記中継装置は、該中継装置と前記基地局との通信に係る無線通信品質が所定の閾値未満である場合、前記複数の中継装置のうち前記移動局と通信可能な他中継装置を識別して該他中継装置に、前記サービス部の送信出力の増加要求を送信し、
前記他中継装置は、前記増加要求を受信した場合で、かつ前記他中継装置が通信する基地局との通信に係る無線通信品質が前記所定の閾値以上である場合、該基地局と前記移動局との中継が可能であることを前記中継装置に応答し、前記サービス部に係る送信出力を増加させて該基地局と前記移動局との通信を中継し、
前記中継装置は、前記応答に基づき該中継装置の前記サービス部の動作を停止することを特徴とする。
【０００７】
また本発明に係る通信中継システムは、
前記中継装置が、該中継装置の前記サービス部の動作を停止した後に該中継装置が通信する前記基地局との通信に係る前記無線通信品質が前記所定の閾値以上に戻った場合、前記他中継装置に該他中継装置の前記サービス部に係る前記送信出力の低減要求を送信し、
前記他中継装置は、前記低減要求に基づき前記サービス部に係る前記送信出力を低減し、
前記中継装置は、該中継装置の前記サービス部の動作を再開し、該中継装置が通信する前記基地局と前記移動局との通信を中継することを特徴とする。
【０００８】
また本発明に係る通信中継システムは、
前記中継装置が、前記他中継装置が送信した電波に基づき、前記移動局と通信可能な前記他中継装置を識別することを特徴とする。
【０００９】
また本発明に係る通信中継システムは、
前記中継装置が、前記移動局と通信可能な前記他中継装置のリストを有し、該リストに基づき前記移動局と通信可能な前記他中継装置を識別することを特徴とする。
【００１０】
また本発明に係る通信中継システムの制御方法は、
移動局と、該移動局と通信するサービス部を有する複数の中継装置とを備える通信中継システムの制御方法であって、
前記複数の中継装置のうちいずれか一つの中継装置が、該中継装置が通信する基地局と前記移動局との通信を中継するステップと、
前記中継装置が、該中継装置と前記基地局との通信に係る無線通信品質が所定の閾値未満である場合、前記複数の中継装置のうち前記移動局と通信可能な他中継装置を識別するステップと、
前記中継装置が、該他中継装置に前記サービス部の送信出力の増加要求を送信するステップと、
前記他中継装置が、前記増加要求を受信した場合で、かつ前記他中継装置が通信する前記基地局との通信に係る無線通信品質が前記所定の閾値以上である場合、該基地局と前記移動局との中継が可能であることを前記中継装置に応答し、前記サービス部に係る送信出力を増加させて該基地局と前記移動局との通信を中継するステップと、
前記中継装置が、前記応答に基づき該中継装置の前記サービス部の動作を停止するステップと、
を含むことを特徴とする。
【００１１】
また本発明に係る通信中継システムの制御方法は、
前記中継装置が、該中継装置の前記サービス部の動作を停止した後に該中継装置と通信する前記基地局との通信に係る前記無線通信品質が前記所定の閾値以上に戻った場合、前記他中継装置に該他中継装置の前記サービス部に係る前記送信出力の低減要求を送信するステップと、
前記他中継装置が、前記低減要求に基づき前記サービス部の送信出力を低減するステップと、
前記中継装置が、該中継装置の前記サービス部の動作を再開し、該中継装置が通信する前記基地局と前記移動局との通信を中継するステップと、
を含むことを特徴とする。
【００１２】
また本発明に係る通信中継システムの制御方法は、
前記識別するステップにおいて、前記他中継装置が送信した電波に基づき、前記移動局と通信可能な前記他中継装置を識別することを特徴とする。
【００１３】
また本発明に係る通信中継システムの制御方法は、
前記識別するステップにおいて、前記中継装置が前記移動局と通信可能な前記他中継装置のリストを有し、該リストに基づき前記移動局と通信可能な前記他中継装置を識別することを特徴とする。
【００１４】
また本発明に係る中継装置は、
移動局と、該移動局と通信するサービス部を有する複数の中継装置とを備える通信中継システムにおいて前記移動局と基地局の通信を中継する中継装置であって、
前記基地局と通信するドナー部と、
前記中継装置と前記基地局との通信の無線通信品質が所定の閾値未満である場合、前記複数の中継装置のうち前記移動局と通信可能な他中継装置を識別して該他中継装置に送信出力の増加要求を送信し、前記他中継装置から前記他中継装置が通信する基地局と前記移動局との中継が可能であるとの応答に基づき、前記サービス部の動作を停止するように制御する制御部と、
を備えることを特徴とする。
【００１５】
また本発明に係る中継装置は、
前記制御部が、前記サービス部の動作を停止した後に前記基地局との通信に係る前記無線通信品質が前記所定の閾値以上に戻った場合、前記他中継装置に前記送信出力の低減要求を送信し、前記サービス部の動作を再開して前記中継装置が通信する前記基地局と前記移動局との通信を中継することを特徴とする。
【００１６】
また本発明に係る中継装置は、
前記制御部が、前記他中継装置が送信した電波に基づき、前記他中継装置を識別することを特徴とする。
【００１７】
また本発明に係る中継装置は、
前記中継装置がさらに、前記複数の中継装置のうち前記移動局と通信可能な前記他中継装置のリストを有し、
前記制御部は、前記リストに基づき前記移動局と通信可能な前記他中継装置を識別することを特徴とする。
【発明の効果】
【００１８】
本発明における通信中継システム、通信中継システムの制御方法及び中継装置によれば、ある中継装置と基地局との通信に係る無線通信品質が低下した場合でも、他中継装置を利用して移動局に係る良好な無線通信品質を確保することができる。
【図面の簡単な説明】
【００１９】
【図１】本発明の実施の形態１に係る通信中継システムの概要図である。
【図２】本発明の実施の形態１に係る通信中継システムにおける中継装置のブロック図である。
【図３】閾値テーブル２５ａ及び閾値テーブル２５ｂの例を示す図である。
【図４】本発明の実施の形態１に係る通信中継システムの動作を示すフローチャートである。
【図５】本発明の実施の形態２に係る通信中継システムの動作を示すフローチャートである。
【図６】従来技術の通信中継システムの概要図である。
【発明を実施するための形態】
【００２０】
以下、本発明の実施の形態について説明する。
【００２１】
（実施の形態１）
図１（Ａ）は本発明の実施の形態１に係る通信中継システムの概略図である。本発明の実施の形態１に係る通信中継システムは、移動局１と、中継装置２ａと、中継装置２ｂと、基地局３ａと、基地局３ｂとを備える。なお図１においては、中継装置を２つ備える構成を示したがこれに限られず、３つ以上備えていてもよい。また図１においては、基地局を２つ備える構成を示したがこれに限られず、１つであっても、３つ以上であってもよい。すなわち、本発明の通信中継システムは、複数の中継装置と、少なくとも一つの基地局とを備えるものである。
【００２２】
移動局１は、屋内において基地局３ａ又は基地局３ｂとの通信を、中継装置２ａ又は中継装置２ｂを介して行う。
【００２３】
中継装置２ａは、所定の範囲のサービスエリアに位置する移動局と通信をする。図１においては中継装置２ａのサービスエリアに移動局１が位置するため、中継装置２ａは移動局１と通信をする。また中継装置２ａは、基地局３ａと通信する。このようにして中継装置２ａは、中継装置２ｂのサービスエリアに位置する移動局１及び基地局３ａと通信をし、移動局１と基地局３ａとの間の通信を中継する。
【００２４】
中継装置２ｂも同様に、所定の範囲のサービスエリアに位置する移動局との通信をする。また中継装置２ｂは、基地局３ｂと通信をする。このようにして中継装置２ｂは、中継装置２ｂのサービスエリアの移動局及び基地局３ｂと通信をし、移動局と基地局３ｂとの間の通信を中継する。なお例えば、基地局が１つのみ（基地局３ａのみ）の構成である場合、中継装置２ｂは、基地局３ａと通信をする。
【００２５】
図１（Ｂ）は、本発明の実施の形態１に係る通信中継システムにおいて、移動局１が接続する中継装置を中継装置２ａではなく中継装置２ｂに切り替えた場合の概略図である。本発明の実施の形態１に係る通信中継システムは、概略として、例えば中継装置２ａと基地局３ａ間の無線通信品質が低下した場合、移動局１が通信する中継装置を中継装置２ａから中継装置２ｂに切り替えることを特徴とする。その際、中継装置２ｂは、中継装置２ｂのサービスエリアを図１（Ｂ）に示すように拡大し、移動局１と中継装置２ｂとの間の通信を行う。
【００２６】
図２は、本発明の実施の形態１に係る通信中継システムにおける中継装置２ａのブロック図を示す。中継装置２ａは、ドナー部２１ａと、アンテナ２２ａと、サービス部２３ａと、アンテナ２４ａと、閾値テーブル２５ａと、制御部２６ａとを備える。
【００２７】
ドナー部２１ａは、アンテナ２２ａを介して基地局３ａと通信をする。またドナー部２１ａは、当該通信の無線通信品質を定期的に検出する。例えばドナー部２１ａは１秒間に１回無線通信品質を検出する。ここで無線通信品質とは、例えばＲＳＳＩ（Ｒｅｃｅｉｖｅｄ Ｓｉｇｎａｌ Ｓｔｒｅｎｇｔｈ Ｉｎｄｉｃａｔｉｏｎ：受信信号強度）及びＣＩＮＲ（Ｃａｒｒｉｅｒ ｔｏ Ｉｎｔｅｒｆｅｒｅｎｃｅ ａｎｄ Ｎｏｉｓｅ Ｒａｔｉｏ：搬送波レベル対干渉雑音比）である。
【００２８】
サービス部２３ａは、アンテナ２４ａを介して、移動局１と通信をする。またサービス部２３ａは、アンテナ２４ａを介して、中継装置２ｂが送信する電波を受信する。またサービス部２３ａは、後述する制御部２６ａの制御により動作又は停止するように構成される。サービス部２３ｂは、動作しているか又は停止しているかに応じて、夫々“動作中”又は“停止中”を示すステータスを有する。
【００２９】
閾値テーブル２５ａは、ドナー部２１ａにより検出された無線通信品質を評価するための閾値を格納するテーブルである。図３に閾値テーブル２５ａの例を示す。例えばＣＩＮＲが１０〜１５ｄＢで、ＲＳＳＩが−８５ｄＢｍ未満である場合は、“ＮＧ”が格納される。“ＮＧ”とは、無線通信品質が低いことを意味する。また例えばＣＩＮＲが１０〜１５ｄＢで、ＲＳＳＩが−８５ｄＢｍ以上の場合には“ＯＫ”が格納される。“ＯＫ”とは、無線通信品質が高いことを意味する。図３に基づくと、ＲＳＳＩ又はＣＩＮＲが各々−８５ｄＢｍ未満又は１０ｄＢ未満であるか否かにより、サービス部２３ａの動作が制御される。
【００３０】
制御部２６ａは、中継装置２ａに係る各種制御を行う。制御部２６ａは、閾値テーブル２５ａを参照し、無線通信品質が“ＮＧ”であり、かつ、サービス部２３ａのステータスが“動作中”である場合には、サービスエリアを拡大すれば移動局１と通信可能な他中継装置があるかを識別する。そして制御部２６ａは、例えば他中継装置として中継装置２ｂが識別された場合、他中継装置２ｂのサービス部２３ｂの送信出力の増加要求を送信する。制御部２６ａは、中継装置２ｂからＯＫである旨の応答を受信した場合、サービス部２３ａの動作を停止する。なお、中継装置２ａ及び中継装置２ｂ間の通信は、ドナー部２１ａ、基地局３ａ、上位ネットワーク層、基地局３ｂ及びドナー部２１ｂを介して行う。
【００３１】
なお制御部２６ａは、サービスエリアを拡大すれば移動局１と通信可能な他中継装置を、サービス部２３ａにより検出した他中継装置の電波に基づき識別して、他中継装置の有無を検出する。具体的には制御部２６ａは、サービス部２３ａにより検出した電波から読み取り可能な他中継装置のＭＡＣ ＡｄｄｒｅｓｓやＩＤにより、他中継装置を識別する。図１のシステム構成においては、中継装置２ａのサービス部２３ａは、他中継装置である中継装置２ｂの電波に基づき、中継装置２ｂを識別する。
【００３２】
一方、制御部２６ａは、サービス部２３ａの動作を停止した後に無線通信品質が“ＯＫ”に戻った場合、サービス部２３ａのステータスが“動作中”であれば、サービス部２３ａの動作を再開する。
【００３３】
中継装置２ｂは、ドナー部２１ｂと、アンテナ２２ｂと、サービス部２３ｂと、アンテナ２４ｂと、閾値テーブル２５ｂと、制御部２６ｂとを備える。当該構成は図２に示す中継装置２ａの構成と同一である。
【００３４】
ドナー部２１ｂは、アンテナ２２ｂを介して基地局３ｂと通信をする。またドナー部２１ｂは、当該通信の無線通信品質を検出する。無線通信品質とは、例えばＲＳＳＩ及びＣＩＮＲである。
【００３５】
サービス部２３ｂは、アンテナ２４ｂを介して、移動局１と通信をする。またサービス部２３ｂは、後述する制御部２６ｂの制御により、送信出力を通常の出力よりも増加させることができる。送信出力を増加させた場合、中継装置２ｂのサービスエリアが拡大する。またサービス部２３ｂは、送信出力の状態に応じて、“送信出力増加中”又は“送信出力未増加”のいずれかの状態を示すステータスを有する。
【００３６】
閾値テーブル２５ｂは、ドナー部２１ｂにより検出された無線通信品質を評価するための閾値を格納するテーブルである。閾値テーブル２５ｂは、図３に示す閾値テーブル２５ａと同一の内容のテーブルである。例えばＣＩＮＲが１０〜１５ｄＢで、ＲＳＳＩが−８５ｄＢｍ未満である場合は、“ＮＧ”が格納され、ＲＳＳＩが−８５ｄＢｍ以上の場合には“ＯＫ”が格納される。
【００３７】
制御部２６ｂは、中継装置２ｂに係る各種制御を行う。制御部２６ｂは、中継装置２ａから送信出力の増加要求を受信すると、閾値テーブル２５ｂを参照し、無線通信品質が“ＯＫ”であり、かつ、サービス部２３ｂのステータスが“送信出力未増加”である場合には、サービス部２３ｂの送信出力を増加させるように制御する。そして制御部２６ｂは、中継装置２ａに、当該要求に対する応答として“ＯＫ”を送信する。この場合“ＯＫ”とは、送信出力増加が可能であること、すなわち移動局１と基地局３ｂとの中継が可能であることを意味する。
【００３８】
一方、制御部２６ｂは、閾値テーブル２５ｂを参照し、無線通信品質が“ＮＧ”であり、又は、サービス部２３ｂのステータスが“送信出力増加”である場合、サービス部２３ｂの送信出力を変更しない。そして制御部２６ｂは、中継装置２ａに、当該要求に対する応答として“ＮＧ”を送信する。この場合“ＮＧ”とは、送信出力増加が不可であること、すなわち移動局１と基地局３ｂとの中継が不可であることを意味する。
【００３９】
次に、実施の形態１に係る通信中継システムについて、図４に示すフローチャートによりその動作を説明する。
【００４０】
はじめに中継装置２ａのドナー部２１ａは、基地局３ａとの通信に係る無線通信品質を検出する（ステップＳ１）。そして中継装置２ａの制御部２６ａは、閾値テーブル２５ａを参照し、ドナー部２１ａが検出した無線通信品質が所定の閾値未満であるか否かを判定する（ステップＳ２）。具体的には制御部２６ａは、ＲＳＳＩが−８５ｄＢｍ未満又はＣＩＮＲが１０ｄＢ閾値未満であるか否かを判定する。所定の閾値未満であればステップＳ３に進み、所定の閾値以上であればステップＳ１３に進む。
【００４１】
無線通信品質が所定の閾値未満である場合、サービス部２３ａのステータスを検出し、該ステータスが“動作中”であるか否かを判定する（ステップＳ３）。ステータスが“動作中”であればステップＳ４に進む。一方ステータスが“動作中”でない場合（ステータスが“停止中”である場合）、ステップＳ１に戻る。
【００４２】
サービス部２３ａのステータスが“動作中”である場合、制御部２６ａは、サービス部２３ａにより検出した他中継装置の電波に基づき、移動局１と通信可能な他中継装置を識別し、他中継装置を検出したか否かを判定する（ステップＳ４）。他中継装置を検出した場合、ステップＳ５に進み、検出しなかった場合、ステップＳ１に戻る。
【００４３】
制御部２６ａが他中継装置として中継装置２ｂを識別した場合、制御部２６ａは、中継装置２ｂのサービス部２３ｂの送信出力の増加要求を送信する（ステップＳ５）。当該要求は、ドナー部２１ａ、基地局３ａ、上位ネットワーク層、基地局３ｂ及びドナー部２１ｂを介して行う。中継装置２ｂは、当該送信出力の増加要求を受信する（ステップＳ６）。
【００４４】
続いて中継装置２ｂのドナー部２１ｂは、基地局３ｂとの通信に係る無線通信品質を検出する。また制御部２６ｂは、サービス部２３ｂのステータスを検出する（ステップＳ７）。続いて中継装置２ｂの制御部２６ｂは、ドナー部２１ｂが検出した無線通信品質及びサービス部２３ｂのステータスに基づき、中継装置２ａに応答を送信する（ステップＳ８）。具体的には制御部２６ｂは、閾値テーブル２５ｂを参照し、ドナー部２１ｂが検出した無線通信品質が所定の閾値以上であり、かつ、サービス部２３ｂのステータスが“送信出力未増加”である場合、中継装置２ａに、当該要求に対する応答として“ＯＫ”を送信する。一方、制御部２６ｂは、ドナー部２１ｂが検出した無線通信品質が所定の閾値未満であり、又は、サービス部２３ｂのステータスが“送信出力未増加”でない場合（ステータスが“送信出力増加中”である場合）、当該要求に対する応答として“ＮＧ”を送信する。なお当該応答は、ドナー部２１ｂ、基地局３ｂ、上位ネットワーク層、基地局３ａ及びドナー部２１ａを介して行う。
【００４５】
続いて中継装置２ｂの制御部２６ｂは、ステップＳ８における応答の内容に応じて送信出力を制御する（ステップＳ９）。具体的には制御部２６ｂは、応答が“ＯＫ”である場合には、サービス部２３ｂの送信出力を増加させるように制御する。そして中継装置２ｂは、移動局１と基地局３ｂとの通信を中継する。一方、応答が“ＮＧ”である場合には、サービス部２３ｂの送信出力を変更しない。
【００４６】
ステップＳ８において送信された応答を、中継装置２ａのドナー部２１ａは受信する（ステップＳ１０）。続いて中継装置２ａの制御部２６ａは、当該応答がＯＫであるかＮＧであるかを判定する（ステップＳ１１）。当該応答がＯＫである場合、制御部２６ａは、サービス部２３ａの動作を停止する（ステップＳ１２）。そしてステップＳ１に戻る。一方当該応答が“ＯＫ”で無い場合（応答が“ＮＧ”である場合）、ステップＳ１に戻る。
【００４７】
ステップＳ２において、ドナー部２１ａが検出した無線通信品質が所定の閾値以上である場合、制御部２６ａは、サービス部２３ａのステータスを検出し、該ステータスが“停止中”であるか否かを判定する（ステップＳ１３）。そしてステータスが“停止中”である場合、制御部２６ａは、サービス部２３ａの動作を開始（再開）する（ステップＳ１４）。そして中継装置２ａは、移動局１と基地局３ａとの通信を中継する。一方ステータスが“停止中”でない場合（ステータスが“動作中”である場合）、ステップＳ１に戻る。
【００４８】
このように本発明によれば、中継装置２ａと基地局３ａとの通信に係る無線通信品質が低下した場合でも、他中継装置である中継装置２ｂのサービス部２３ｂの送信出力を増加するように制御して、移動局１の通信を中継装置２ｂ及び基地局３ｂを経由して行い、かつ中継装置２ａのサービス部２３ａの動作を停止する。そのため、移動局１に係る良好な無線通信品質を確保することができる。また中継装置２ａのサービス部２３ａの動作を停止しているため、中継装置２ａの消費電力を低減し、かつ中継装置２ａのサービス部２３ａと中継装置２ｂのサービス部２３ｂとの電波の干渉を防ぐことができる。
【００４９】
また本発明によれば、中継装置２ａの制御部２６ａがサービス部２３ａにより検出した他中継装置の電波に基づき、移動局１と通信可能な他中継装置を識別できるため、他中継装置が新たに設置された場合や、交換等された場合においても的確に他中継装置を識別して、移動局１に係る良好な無線通信品質を確保することができる。
【００５０】
なお、制御部２６ａは、ドナー部２１ａが検出したＲＳＳＩ及びＣＩＮＲについて所定の時間内における平均値を算出し、当該平均値により閾値テーブル２５ａから“ＯＫ”または“ＮＧ”を抽出してもよい。好ましくは、制御部２６ａは、ドナー部２１ａが検出したこれらの値を１０秒間モニターして１０秒間の平均値を算出する。
【００５１】
また本実施の形態では、ＲＳＳＩ及びＣＩＮＲの両方の閾値を用いる例を示したがこれに限られず、制御部２６ａは、ＲＳＳＩ又はＣＩＮＲの一方のみにより無線通信品質を判定してもよい。
【００５２】
なお、制御部２６ａは、他中継装置の電波を受信することによる識別の代わりに、予め中継装置２ａの周辺に存在する中継装置のリストを記憶部（不図示）に格納していてもよい。例えば中継装置２ａの記憶部が周辺に存在する中継装置として中継装置２ｂの情報をリストに格納する。そしてこの場合、中継装置２ａは、当該リストに基づき移動局１と通信可能な他中継装置２ｂを識別する。
【００５３】
このようにすることで、当該リストに基づき移動局１と通信可能な他中継装置を識別できるため、中継装置２ａが他中継装置の電波を受信できないような場合においても的確に他中継装置を識別して、移動局１に係る良好な無線通信品質を確保することができる。
【００５４】
（実施の形態２）
以下に、本発明の実施の形態２について説明をする。実施の形態２の通信中継システムの構成は図１と同一であるため、説明は省略する。また、実施の形態２に係る中継装置の構成は、図２と同一であるが、制御部２６ａ及び制御部２６ｂによる制御が相違する。
【００５５】
具体的には実施の形態２に係る制御部２６ａは、サービス部２３ａの動作を再開する場合に、移動局１と通信可能な他中継装置があるかを識別する。そして制御部２６ａは、他中継装置が識別された場合、該他中継装置のサービス部の送信出力の低減要求を送信する。制御部２６ａは、該他中継装置からＯＫである旨の応答を受信した場合、サービス部２３ａの動作を開始する。
【００５６】
また実施の形態２に係る制御部２６ｂは、中継装置２ａから送信出力の低減要求を受信すると、サービス部２３ｂのステータスが“送信出力増加中”である場合には、サービス部２３ｂの送信出力を低減させるように制御する。そして制御部２６ｂは、中継装置２ａに、当該要求に対する応答として“ＯＫ”を送信する。
【００５７】
一方、制御部２６ｂは、サービス部２３ｂのステータスが“送信出力未増加”である場合、サービス部２３ｂの送信出力を変更しない。そして制御部２６ｂは、中継装置２ａに、当該要求に対する応答として“ＮＧ”を送信する。
【００５８】
図５に、実施の形態２に係る通信中継システムの動作を示す。なお実施の形態１に係る通信中継システムと同一の動作には同一の符号を付し、説明は省略する。
【００５９】
実施の形態２に係る通信中継システムにおいてはステップＳ１３においてステータスが“停止中”である場合、制御部２６ａは、サービス部２３ａにより検出した他中継装置の電波に基づき、移動局１と通信可能な他中継装置を識別し、他中継装置の検出を判定する（ステップＳ２１）。他中継装置を検出した場合、ステップＳ２２に進み、検出しなかった場合、ステップＳ２９に進む。
【００６０】
制御部２６ａが他中継装置として中継装置２ｂを識別した場合、制御部２６ａは、中継装置２ｂのサービス部２３ｂの送信出力の低減要求を送信する（ステップＳ２２）。当該要求は、ドナー部２１ａ、基地局３ａ、上位ネットワーク層、基地局３ｂ及びドナー部２１ｂを介して行う。中継装置２ｂは、当該送信出力の低減要求を受信する（ステップＳ２３）。
【００６１】
続いて中継装置２ｂの制御部２６ｂは、サービス部２３ｂのステータスを検出する（ステップＳ２４）。そして制御部２６ｂは、サービス部２３ｂのステータスに基づき、中継装置２ａに応答を送信する（ステップＳ２５）。具体的には制御部２６ｂは、サービス部２３ｂのステータスが“送信出力増加中”である場合、中継装置２ａに、当該要求に対する応答として“ＯＫ”を送信する。一方、制御部２６ｂは、サービス部２３ｂのステータスが“送信出力未増加”である場合（ステータスが“送信出力未増加”である場合）、当該要求に対する応答として“ＮＧ”を送信する。なお当該応答は、ドナー部２１ｂ、基地局３ｂ、上位ネットワーク層、基地局３ａ及びドナー部２１ａを介して行う。
【００６２】
続いて中継装置２ｂの制御部２６ｂは、ステップＳ２５における応答内容に応じて送信出力を制御する（ステップＳ２６）。具体的には制御部２６ｂは、応答が“ＯＫ”である場合には、サービス部２３ｂの送信出力を低減させるように制御する。一方、応答が“ＮＧ”である場合には、サービス部２３ｂの送信出力を変更しない。
【００６３】
ステップＳ２５において送信された応答を、中継装置２ａのドナー部２１ａは受信する（ステップＳ２７）。続いて中継装置２ａの制御部２６ａは、当該応答がＯＫであるかＮＧであるかを判定する（ステップＳ２８）。当該応答がＯＫである場合、制御部２６ａは、サービス部２３ａの動作を開始（再開）する（ステップＳ２９）。そしてステップＳ１に戻る。一方当該応答が“ＯＫ”でない場合（応答が“ＮＧ”である場合）、ステップＳ１に戻る。
【００６４】
このように、本発明によれば、中継装置２ａと基地局３ａとの通信に係る無線通信品質が低下して中継装置２ａのサービス部２３ａの動作を停止した後に、中継装置２ａと基地局３ａとの通信に係る無線通信品質が高くなった場合、中継装置２ａのサービス部２３ａの動作を再開して、移動局１に係る通信を、中継装置２ａ及び基地局３ａを介して行う。また、他中継装置である中継装置２ｂのサービス部２３ｂの送信出力を低減するように制御する。このため、中継装置２ｂの消費電力を低減し、かつ中継装置２ａのサービス部２３ａと中継装置２ｂのサービス部２３ｂとの電波の干渉を防ぎ、移動局１に係る良好な無線通信品質を確保することができる。また、中継装置２ｂのサービス部２３ｂの送信出力を低減するように制御するため、中継装置２ｂの消費電力を低減することができる。
【００６５】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【符号の説明】
【００６６】
１  移動局
２ａ、２ｂ  中継装置
３ａ、３ｂ  基地局
２１ａ、２１ｂ  ドナー部
２２ａ、２２ｂ  アンテナ
２３ａ、２３ｂ  サービス部
２４ａ、２４ｂ  アンテナ
２５ａ、２５ｂ  閾値テーブル
２６ａ、２６ｂ  制御部
１０１  移動局
１０２ａ、１０２ｂ  中継装置
１０３ａ、１０３ｂ  基地局
【図１】
2013168881.tif 000003
【図２】
2013168881.tif 000004
【図３】
2013168881.tif 000005
【図４】
2013168881.tif 000006
【図５】
2013168881.tif 000007
【図６】
2013168881.tif 000008